(57)【要約】      （修正有）【課題】オープンボード家具の表面、側面、裏面にスチール箔を含む化粧板を使用すると、マグネット用具、マグネットシートを貼りつけることによって趣、装飾性が変えて、オープンボード家具自身の状態が大きく変えることができるマグネット吸着可能な意匠性木製オープンボード家具を提供する。【解決手段】リビングルームなどに設置して、種々の物品を置いたり、掛けたりできる、コの字、及びロの字の箱状の形状体を横、縦に並べた筒状箱体を組み合わせたフリーボードにおいて、前記筒状箱体からなるボートの外側の側板４、天板２、底板１２、裏板５、並びに内側の内板に表装材として貼ったスチール箔を含んでいる化粧板６を使用されている。【選択図】図１
0003213930.tif 000002
【実用新案登録請求の範囲】
【請求項１】
リビングルームなどに設置して、種々の物品を置いたり、掛けたりできる、コの字、及びロの字の箱状の形状体を横、縦に並べた筒状箱体を組み合わせたフリーボードにおいて、前記筒状箱体からなるボートの外側の側板、天板、底板、裏板、並びに内側の内板に表装材として貼ったスチール箔を含んでいる化粧板を使用されていることを特徴とするマグネット吸着可能な意匠性木製オープンボード家具。
【請求項２】
種々の物品を置いたり、掛けたりできるフリーボードは、オープンラック、フリーラック、サイドボード、オープンシェルボードであって、コの字、及びロの字の箱状の形状体を横、縦に並べた筒状箱体を、横に１〜３個、縦に１〜６段に組み合わせて配列したものであって、全体の寸法として幅４００〜１５００ｍｍ、高さ４００〜２０００ｍｍ、奥行き２５０〜６００ｍｍであり、使用した棚、仕切り板、固定板を厚さ２０〜４５ｍｍのフラッシュパネル、パチクルボード、ＭＤＦに前記のスチール箔を含んでいる化粧板を張った板材を表面に張っていることを特徴とする請求項１に記載のマグネット吸着可能な意匠性木製オープンボード家具。
【請求項３】
前記のオープンボードの表面に張る磁性シートを付着できる装飾性表装材である化粧板は、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板を使用して、表面と側面と裏面、内面と合わせた面積で５０〜１００％の面積にボンド磁性シートを付着できる装飾性表装材を張り付けて、前記化粧板を張り付けた外見の側板、天板、底板、裏板、並びに内見の内板の一部に磁性体を取り付けた用具を吸着させることができることを特徴とする請求項１、又は請求項２に記載のマグネット吸着可能な意匠性木製オープンボード家具。
【請求項４】
種々の物品を置いたり、掛けたりできるフリーボード家具の外見の側板、天板、底板、裏板、並びに内見の内板に取り付けたり、貼りつけたりできる磁性体を取り付けている用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を取り付けていることを特徴とする請求項１〜請求項３のいずれかに記載のマグネット吸着可能な意匠性木製オープンボード家具。
【考案の詳細な説明】
【技術分野】
【０００１】本考案は、種々の物品を置いたり、掛けたりできるフリーボードの外見の側板、天板、底板、裏板、並びに内見の内板に装飾的表装材として貼ったスチール箔を含んでいる化粧板を使用され、種々のマグネットの用具を吸着させることが可能な意匠性木製オープンボード家具に関するものである。
【背景技術】
【０００２】使用目的や部屋の空間に適宜適応させ、形状を変化して配置することを可能とした組合せ家具を供することを目的して、Ｌ字状で内部を３箇と１箇のブロック空間に形成したユニット体の１対と、ブロック空間内に収納される引出し箱とからなる組合せ家具であり、ブロック空間内にＨ状の仕切り枠を挿入可能となし、該Ｈ状仕切り枠の上段や下段には夫々小型引出し箱が入れられるようにすることが出来る構成家具が提案されている（特許文献１参照）。【０００３】家具のデザイン性を増すために、円柱形状と四角形状と組み合わせたサイドボードであって、円柱形状は直径４００〜５００ｍｍφ、高さ７００〜１０００ｍｍ、四角形状は、縦２５０〜３５０ｍｍ、横３５０〜４５０ｍｍ、高さ７００〜１０００ｍｍで、脚部を４〜７本で高さ１００〜２００ｍｍにして、円柱形の形状体には、内部棚付き開き戸部１、又は３〜４段の引出部にして、四角形の形状体には、２〜３段の棚部にして、円柱と角状の形状コラボの家具として円柱状を浮かせたようなデザインになっているデザイン性円形状付きサイドボード家具を提供する（特許文献２参照）。【０００４】家具の引き出しの開放などを防ぐために、簡単な構造でバネによる付勢力の低下を招くことなく、バネの不用意な離脱を防止することができるチェストの引出ロック構造が提供されている（特許文献３参照）。【０００５】配置的家具として、有用で且つ良好な意匠性で深みのある質感の装飾を主体にして、開き戸部付きで、角形様デザイン性を持たせたサイドボード家具を提供するために、４〜６角形の形状した側板枠体２の中心部に類似の形状体を設けて、中心の４〜６角形の形状体を開き戸部、引出部にして、その周囲に４〜８段の棚板と仕切り板とを設けた棚部を配列する。角形周囲に中心部同形の形状をもたせて、中心位置での開き戸部、引出部の平面を装飾平板で形成し、家具内で浮いたようなデザイン性を持たせるボードを提供している（特許文献４参照）。【０００６】マグネット吸着可能な意匠性木製オープンボード家具において、種々の物品を置いたり、掛けたりできるフリーボードの外見の側板、天板、底板、裏板、並びに内見の内板に装飾的表装材として貼ったスチール箔を含んでいる化粧板を使用され、種々のマグネットの用具を吸着させることが可能な意匠性木製オープンボード家具の表面、側面、裏面に、表装材を貼ったスチール箔を含んでいる化粧板を使用している簡単に開かない家具は存在してない。
【先行技術文献】
【特許文献】
【０００７】
【特許文献１】実用新案登録第３００８７１７号公報
【特許文献２】実用新案登録第３２０３８４３号公報
【特許文献３】特開２０１３−４６７２４号公報
【特許文献４】実用新案登録第３１９８５３１号公報
【考案の概要】
【考案が解決しようとする課題】
【０００８】リビングルームなどに設置して、部屋内の装飾と種々の物品を置いたり、掛けたりになっているフリーボードは、オーフンラック、フリーラック、サイドボード、オープンシェルボードなどであるが、一度設置してしますと、前記ボードの状態を大幅に変更できず、また内装的に大幅な模様替えが難しい状態である。このような従来の構成が有していたオープンボード、サイドボードなどデザイン性家具において部分的に模様替えが難しい状態であるが、これらの問題を解決しようとするもので、マグネット用具によって行うことのできる装飾性、機能性を変更できることできるボード家具を提供することを目的とする。【０００９】顧客がオープンボードを購入する場合には，ボード家具には、デザインとして、機能として、１〜３面でオープンになっており、種々の置物、或いは収納物を置くことが可能となっており、棚板、側板が取り付けられている。これらボード家具に装飾的に置物、および収納物で簡単に開放される。ボード家具の表面、側面のスチール箔を含む化粧板を使用すると、マグネット用具、マグネットシートを貼りつけることによって趣、装飾性が変わってくる。【００１０】部屋の装飾、雰囲気を変える場合には、家具などのオープンボードにマグネット用具、シートを貼り付けて、オープンボード家具自身の状態、雰囲気が大きく変わってくる。通常は近くに場所に置いて、必要な時にマグネット用具によって装飾の役目を行うようにすれば、またオープンボードに貼りつけた前記化粧板においては、マグネット用具などが吸着することで部屋の様相が全く変わった形態になったと思われるオープンボードなどの家具となってくる。【００１１】オープンボードにおいて、ボードの表面、側面、裏面、内面に磁気吸着力を持つ表面体内にスチール箔を含んでいる化粧板を使用していると、模様、写真のプリントされたボンド磁性シートを貼ることができて、その模様、写真のプリントの模様を種々変えと、家具を部屋内に設置する環境（具体的には自分の家の居間等の部屋）に実際に家具の模様若干変更して、簡単に家具の表面をモデルチェンジさせることができる。設置した家具に自身の記憶に頼って想像したイメージの絵柄を貼り合わせながら家具の模様を選択することもできる。好みのデザイン写真、模様を貼ることによって，上記環境と調和のとれた家具を設置することを期待されている。【００１２】そこで，本考案は上記事情に鑑みてなされたものであり，その目的とするところは，ボード家具の表面、側面、裏面、内面にスチール箔を含む化粧板を使用すると、マグネット用具、シートによってオープンボード全体の模様替えを果たすものであり、種々のマグネットの用具を吸着させることが可能な意匠性木製オープンボード家具を提供することを目的とする。
【課題を解決するための手段】
【００１３】リビングルームなどに設置して、種々の物品を置いたり、掛けたりできる、コの字、及びロの字の箱状の形状体を横、縦に並べた筒状箱体を組み合わせたフリーボードにおいて、前記筒状箱体からなるボートの外側の側板、天板、底板、裏板、並びに内側の内板に表装材として貼ったスチール箔を含んでいる化粧板を使用されているマグネット吸着可能な意匠性木製オープンボード家具である。【００１４】種々の物品を置いたり、掛けたりできるフリーボードは、オープンラック、フリーラック、サイドボード、オープンシェルボードであって、コの字、及びロの字の箱状の形状体を横、縦に並べた筒状箱体を、横に１〜３個、縦に１〜６段に組み合わせて配列したものであって、全体の寸法として幅４００〜１５００ｍｍ、高さ４００〜２０００ｍｍ、奥行き２５０〜６００ｍｍであり、使用した棚、仕切り板、固定板を厚さ２０〜４５ｍｍのフラッシュパネル、パチクルボード、ＭＤＦに前記のスチール箔を含んでいる化粧板を張った板材を表面に張っている。また意匠性木製オープンボード家具において、各筒状箱体は、連続的に組み立られたり、或は各筒状箱体をマグネットによって挟んで組み合わせることもできる。【００１５】前記のオープンボードの表面に張る磁性シートを付着できる装飾性表装材である化粧板は、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板を使用して、表面と側面と裏面と合わせた面積で５０〜１００％の面積にボンド磁性シートを付着できる装飾性表装材を張り付けて、前記化粧板を張り付けた外見の側板、天板、底板、裏板、並びに内見の内板の一部に磁性体を取り付けた用具を吸着させることができる。【００１６】種々の物品を置いたり、掛けたりできるフリーボード家具の外見の側板、天板、底板、裏板、並びに内見の内板に取り付けたり、貼りつけたりできる磁性体を取り付けている用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を貼りつけている。
【考案の効果】
【００１７】リビングルームなどに設置して、部屋内の装飾と種々の物品を置いたり、掛けたりできるフリーボードは、オーフンラック、フリーラック、サイドボード、オープンシェルボードであるが、一度設置した前記ボードの装飾状態で、内装的に大幅な模様替えることができた。このようなオープンボード、サイドボードなどデザイン性家具において機能的なマグネット用具、或いは装飾性マグネットシートを取り付けることによって部分的に模様替えができるようになった。マグネット用具によって行うことのできる装飾性、機能性を変更できることできるボード家具を提供できた。【００１８】オープンボードにおいて、ボードの表面、側面、裏面、内面に磁気吸着力を持つ表面体内にスチール箔を含んでいる化粧板を使用しているので、模様、写真のプリントされたボンド磁性シートを貼ることができて、その模様、写真のプリントの模様を種々変えと、家具を部屋内に設置する環境（具体的には自分の家の居間等の部屋）に実際に家具の模様若干変更して、簡単に家具の表面をモデルチェンジさせ、設置した家具に自身の記憶に頼って想像したイメージの絵柄を貼り合わせながら家具の模様も選択できた。また側面等に、人物、自然、風景、アニメから選ばれた図柄、写真、及び計画表、或はメモ書表などボンド磁性シートを貼ることができて、家具を状況によって図柄、写真の模様替えした部屋にしても，満足感がえられて，部屋と自身の調和のとれないボード家具になった。
【図面の簡単な説明】
【００１９】
【図１】マグネット吸着可能な意匠性木製オープンボード家具の斜視図である。Ａ：５段フリーボード  Ｂ：２段フリーボード
【図２】マグネット吸着可能な意匠性木製オープンボード家具に様相を変えた状態図である。
【図３】マグネット吸着可能な意匠性木製オープンボード家具（５段フリーボー）、正面、側面、平面の図である。Ａ：正面  Ｂ：側面  Ｃ：平面
【考案を実施するための形態】
【００２０】以下、本考案の実施形態について、図面を参照して説明する。
リビングルームなどに設置して、種々の物品を置いたり、掛けたりできるフリーボードにおいて、前記ボートの外見の側板、天板、底板、裏板、並びに内見の内板に表装材として貼ったスチール箔を含んでいる化粧板を使用したマグネット吸着可能な意匠性木製オープンボード家具である。
【００２１】図１は、マグネット吸着可能な意匠性木製オープンボード家具の斜視図で、図２は、マグネット吸着可能な意匠性木製オープンボード家具の表面の状態図で、図３は、マグネット吸着可能な意匠性木製オープンボード家具に様相を変えた状態図で、図４はマグネット吸着可能な意匠性木製オープンボード家具、正面、側面、裏面の図で、図５は、マグネット吸着可能な意匠性木製オープンボード家具に開放用マグネット用具を取り付けた状態の部屋の状態斜視図である。
【実施例１】
【００２２】図１のＡで示すように、フリーボードは、５段のオーフンラックであって、コの字、及びロの字の箱状の形状体を横、縦に組み合わせたもので、横に１個、縦に５段に配列したものであって、全体の寸法として幅８００ｍｍ、高さ１６９０ｍｍ、奥行き３１０ｍｍであり、使用した棚、仕切り板、固定板を厚さ４０ｍｍのフラッシュパネルに前記のスチール箔を含んたものを使用した。【００２３】前記のオープンボードの表面に張る磁性シートを付着できる装飾性表装材である化粧板は、表装材の表面には、０・１ｍｍの木質の質感をもつ模様を施した紙体を貼って、磁気吸着力を持つ表面体内に５０μｍの厚さのスチール箔を含んでいる化粧板を使用して、表面と側面と裏面と内面と合わせた面積で９００％の面積にボンド磁性シートを付着できる装飾性表装材を張り付けて、前記化粧板を張り付けた外見の側板、天板、底板、裏板、並びに内見の内板の一部に磁性体を取り付けた用具を吸着させた。【００２４】図２に示すように種々の物品を置いたり、掛けたりできるフリーボード家具の外見の側板、天板、底板、裏板、並びに内見の内板に取り付けたり、貼りつけたりできる磁性体を取り付けている用具は、１ｍｍの厚さの  残留磁束密度（Ｂｒ）＝２ｋＧ，  保磁力（Ｈｃ）＝５ｋＯｅの磁力を持つボンド磁性シートを貼りつけた。
【実施例２】
【００２５】実施例１と同様にフリーボードは、サイドボードを製作した、コの字、及びロの字の箱状の形状体を横、縦に組み合わせたもので、横に２個、縦に１〜６段に配列したものであって、全体の寸法として幅８００ｍｍ、高さ１５００ｍｍ、奥行き４００ｍｍであり、使用した棚、仕切り板、固定板を厚さ３５ｍｍのパチクルボードに前記のスチール箔を張ったものであった。【００２６】前記のオープンボードの表面に張る磁性シートを付着できる装飾性表装材である化粧板は、表装材の表面には、０・０３ｍｍの生地色から濃厚色、又は自然素材の木質の質感をもつ模様を施した突板を貼って、磁気吸着力を持つ表面体内に５０μｍの厚さのスチール箔を含んでいる化粧板を使用して、表面と側面と裏面と合わせた面積で８０％の面積にボンド磁性シートを付着できる装飾性表装材を張り付けて、前記化粧板を張り付けた外見の側板、天板、底板、裏板、並びに内見の内板の一部に磁性体を取り付けた用具を吸着させた。
【実施例３】
【００２７】実施例１と同様にフリーボードは、オーフンラックであって、コの字、及びロの字の箱状の形状体を横、縦に組み合わせたもので、横に１個、縦に３段に配列したものであって、全体の寸法として幅６００ｍｍ、高さ１０００ｍｍ、奥行き４５０ｍｍであり、使用した棚、仕切り板、固定板を厚さ３０ｍｍのフラッシュパネル、パチクルボード、ＭＤＦに前記のスチール箔を含んた化粧板を貼った。【００２８】前記のオープンボードの表面に張る磁性シートを付着できる装飾性表装材である化粧板は、表装材の表面には、０・５ｍｍの生地色から濃厚色、又は自然素材の木質の質感をもつ模様を施した紙体を貼って、磁気吸着力を持つ表面体内に５０μｍの厚さのスチール箔を含んでいる化粧板を使用して、表面と側面と裏面と合わせた面積で１００％の面積にボンド磁性シートを付着できる装飾性表装材を張り付けて、前記化粧板を張り付けた外見の側板、天板、底板、裏板、並びに内見の内板の一部に磁性体を取り付けた用具を吸着させた。【００２９】種々の物品を置いたり、掛けたりできるフリーボード家具の外見の側板、天板、底板、裏板、並びに内見の内板に取り付けたり、貼りつけたりできる磁性体を取り付けている用具は、１ｍｍの厚さのボンド磁性シート体を貼りつけた。
【符号の説明】
【００３０】１、オープンボード
２、天板
３、前板
４．側板
５、裏板
６．スチール箔を含む化粧板
７．内面板、
８．天面
９、表装材
１０、側面
１１、裏面
１２、底板
１３、ボンド磁性シート
１４、磁性体吸着用具
１５、置物
１６、収納物
１７、飾り具
１８、ハンガー掛け
１９、サイド花置きボックス
２０、天井吊り収納ボックス
【図１】
0003213930.tif 000003
【図２】
0003213930.tif 000004
【図３】
0003213930.tif 000005
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
リビングルームなどに設置して、種々の物品を置いたり、掛けたりできる、コの字、及びロの字の箱状の形状体を横、縦に並べた筒状箱体を組み合わせたフリーボードにおいて、前記筒状箱体からなるボートの外側の側板、天板、底板、裏板、並びに内側の内板に表装材として貼ったスチール箔を含んでいる化粧板を使用されていることを特徴とするマグネット吸着可能な意匠性木製オープンボード家具。
【請求項２】
種々の物品を置いたり、掛けたりできるフリーボードは、オープンラック、フリーラック、サイドボード、オープンシェルボードであって、コの字、及びロの字の箱状の形状体を横、縦に並べた筒状箱体を、横に１〜３個、縦に１〜６段に組み合わせて配列したものであって、全体の寸法として幅４００〜１５００ｍｍ、高さ４００〜２０００ｍｍ、奥行き２５０〜６００ｍｍであり、使用した棚、仕切り板、固定板を厚さ２０〜４５ｍｍのフラッシュパネル、パチクルボード、ＭＤＦに前記のスチール箔を含んでいる化粧板を張った板材を表面に張っていることを特徴とする請求項１に記載のマグネット吸着可能な意匠性木製オープンボード家具。
【請求項３】
前記のフリーボードの表面に張る磁性シートを付着できる装飾性表装材である化粧板は、表装材の表面には、０．０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板を使用して、表面と側面と裏面、内面と合わせた面積で５０〜１００％の面積にボンド磁性シートを付着できる装飾性表装材を張り付けて、前記化粧板を張り付けた外見の側板、天板、底板、裏板、並びに内見の内板の一部に磁性体を取り付けた用具を吸着させることができることを特徴とする請求項１、又は請求項２に記載のマグネット吸着可能な意匠性木製オープンボード家具。
【請求項４】
種々の物品を置いたり、掛けたりできるフリーボードの外見の側板、天板、底板、裏板、並びに内見の内板に取り付けたり、貼りつけたりできる磁性体を取り付けている用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を取り付けていることを特徴とする請求項１〜請求項３のいずれかに記載のマグネット吸着可能な意匠性木製オープンボード家具。
【手続補正２】
【補正対象書類名】明細書
【補正対象項目名】００１１
【補正方法】変更
【補正の内容】
【００１１】  磁性粉を含有する合成樹脂、又は合成ゴムからなる磁石層の片面に、合成樹脂、ゴム製の印刷層が積層された大型マグネットシートであって、上記磁石層の厚さが０．１〜２ｍｍであるとともに、上記印刷層の厚さが０．０１〜０．１ｍｍで、面積として０．０５〜１ｍ２の大きさシート状になっている大型家具用装飾性マグネットシートである。
【手続補正３】
【補正対象書類名】明細書
【補正対象項目名】００１２
【補正方法】変更
【補正の内容】
【００１２】マグネットシートの表面にプリントする写真・文体は、風景、自然、動物、植物、乗り物、食品のプリント写真、ペット写真をシートにプリントして提供できるようにして、大型家具用装飾性マグネットシートは、印刷可能材質を表面に持ち、裏面が鉄に吸着可能な磁性体から成る薄型マグネットシートの印刷面に、前記の自然、風景、人物等を写真に撮った影像を印刷したマグネットシートを硬磁性平面に磁力により吸着させている。
【手続補正４】
【補正対象書類名】明細書
【補正対象項目名】００１３
【補正方法】変更
【補正の内容】
【００１３】マグネットシートは、写真をプリントされた磁石シートは、合成樹脂製、又は合成ゴム製のシートであって、その平面シート形状が、基本的に長方形で、又は略矩形、略三角形、円形、又は四角形以上の略多角形のうちの少なくとも何れか一つでも可能であって、厚さ０．１〜２ｍｍで、大きさは縦２１０ｍｍ、横２９７ｍｍのＡ４版、及び縦４２０ｍｍ、横２９７ｍｍのＡ３版、縦４２０ｍｍ、横５９４ｍｍのＡ１版の基準を主体として、家具にマッチした寸法、又は要望の寸法の磁気シートに提供できる。
【手続補正５】
【補正対象書類名】明細書
【補正対象項目名】００１４
【補正方法】変更
【補正の内容】
【００１４】マグネットシートは、磁石としてはフェライト系、アルニコ系、希土類系の粉末体を使用して、前記樹脂、又はゴムとの混合系の薄型シート状にしたものであり、マグネットシートは、印刷層を有する裏面に、粒径が１〜数百ミクロンの、フェライト系、アルニコ系、希土類系の粉末体のハードフェライト粉の３つの群から選ばれる１〜３種の単独又は混合物の体積で３０〜８０％含まれる磁性と樹脂との塗料からなり、厚さ０．１〜２ｍｍの磁性粉との混合のマグネット層が設けられて構成された、磁力として、残留磁束密度（Ｂｒ）＝２〜５ｋＧ，  保磁力（Ｈｃ）＝２〜１０ｋＯｅ、最大エネルギ積（ＢＨｍａｘ）＝１〜１０ＭＧＯｅをもっている。また磁性層は好ましくは０．２〜１ｍｍであり、さらに好ましくは、０．２〜０．５ｍｍである。